(57)【要約】【課題】化粧台の利用者が、色々なパターンで化粧を行うことができる住宅構造を提案する。【解決手段】住宅構造１は、ベッド２が設置された寝室３と、化粧台４が設置された化粧室５とを備える。寝室３は、ベッド２が設置された第一エリア３０と、第一エリア３０と並んだ第二エリア３１とを有する。化粧室５は、第一エリア３０に対して、第一エリア３０と第二エリア３１とが並ぶ方向に直交する方向に隣接する。さらに、住宅構造１は、第一エリア３０と化粧室５との境界部分６の一部を構成する壁６０と、境界部分６の残りの部分を構成する開口部６１と、開口部６１を開閉する引き戸７と、を備える。【選択図】図１
2017166148.tif 000002
【特許請求の範囲】
【請求項１】
ベッドが設置された第一エリアと、前記第一エリアと並んだ第二エリアとを有する寝室と、
前記第一エリアに対して、前記第一エリアと前記第二エリアとが並ぶ方向に直交する方向に隣接し、化粧台が設置された化粧室と、
前記第一エリアと前記化粧室との境界部分の一部を構成する壁と、
前記境界部分の残りの部分を構成する開口部と、
前記開口部を開閉する引き戸と、を備えることを特徴とする住宅構造。
【請求項２】
前記化粧室は、前記壁に対して直角に位置する第二の壁を備え、
前記化粧台は、前記第二の壁に沿うように配置されていることを特徴とする請求項１に記載の住宅構造。
【請求項３】
前記化粧室は、
前記壁と前記第二の壁を含む周壁を備え、
前記開口部を閉じたときの前記引き戸と、前記周壁とで、周囲が仕切られることを特徴とする請求項２に記載の住宅構造。
【発明の詳細な説明】
【技術分野】
【０００１】
本発明は、住宅構造に関する。
【背景技術】
【０００２】
特許文献１には、ベッドが設置された寝室の一隅に、化粧台が設置された構造が記載されている。
【先行技術文献】
【特許文献】
【０００３】
【特許文献１】特開２０００−２１７６５４号公報
【発明の概要】
【発明が解決しようとする課題】
【０００４】
特許文献１に記載の構造では、化粧台の利用者は、化粧を行いながら、ベッドにいるパートナー（夫）と会話等でコミュニケーションを取ることができる。しかし、利用者は、コミュニケーションを取らずに集中して化粧を行いたい場合や、会話でのコミュニケーションは取りつつも集中して化粧を行いたい場合もある。したがって、特許文献１に記載の構造は、このような色々なパターンでの利用に適しているとはいえなかった。
【０００５】
本発明の目的は、化粧台の利用者が、色々なパターンで化粧を行うことができる住宅構造を提案することと、とする。
【課題を解決するための手段】
【０００６】
本発明に係る形態の住宅構造は、寝室と、化粧台が設置された化粧室とを備える。
【０００７】
前記寝室は、ベッドが設置された第一エリアと、前記第一エリアと並んだ第二エリアとを有する。前記化粧室は、前記第一エリアに対して、前記第一エリアと前記第二エリアとが並ぶ方向に直交する方向に隣接する。
【０００８】
さらに、本発明に係る形態の住宅構造は、前記第一エリアと前記化粧室との境界部分の一部を構成する壁と、前記境界部分の残りの部分を構成する開口部と、前記開口部を開閉する引き戸と、を備える。
【発明の効果】
【０００９】
本発明の住宅構造では、化粧台の利用者が、色々なパターンで化粧を行うことができる。
【図面の簡単な説明】
【００１０】
【図１】図１は、一実施形態の住宅構造を示す平面図である。
【発明を実施するための形態】
【００１１】
本発明は、一般に、住宅構造に関し、より詳細には、ベッドと化粧台が設置された住宅構造に関する。
（一実施形態）
図１には、一実施形態の住宅構造１が示されている。住宅構造１は、ベッド２が設置された寝室３と、寝室３に隣接し、化粧台４が設置された化粧室５とを備える。以下では、寝室３と化粧室５が並ぶ方向を左右方向とし、この左右方向に対して平面視において直交する方向を前後方向として、各構成について説明する。つまり、図１では、矢印Ｘで示す方向が右方向であり、矢印Ｙで示す方向が前方向である。
【００１２】
寝室３は、ベッド２が設置された第一エリア３０と、第一エリア３０と並んだ第二エリア３１とを有する。本実施形態では、寝室３は、平面視略矩形状の部屋である。第一エリア３０は、寝室３の後半部のエリアであり、第二エリア３１は、寝室３の前半部のエリアである。第一エリア３０と第二エリア３１のそれぞれは、平面視略矩形状のエリアである。
【００１３】
ベッド２は、第一エリア３０の左右方向の中央部に設置されている。ベッド２は、枕２０が置かれる側の端部（つまり後端部）が、寝室３の後側の壁３２に接するように、第一エリア３０に設置されている。
【００１４】
壁３２の左右には、寝室３と他の部屋とを連通させる出入口３２０，３２１が位置している。出入口３２０，３２１のそれぞれは、戸３２２，３２３で開閉自在である。戸３２２，３２３は、本実施形態では、引き戸であるが、開き戸でもよい。本実施形態では、壁３２のうち出入口３２０，３２１に隣接する部分は、戸袋３２４，３２５を構成しており、戸３２２，３２３は、壁３２内に収容可能である。
【００１５】
寝室３の第二エリア３１には、机３３と椅子３４が設置されている。机３３は、第二エリア３１の右前の隅に設置されている。
【００１６】
化粧室５は、寝室３の第一エリア３０に対して、第一エリア３０と第二エリア３１とが並ぶ方向に直交する方向（つまり左右方向）に隣接する。本実施形態では、化粧室５は、寝室３の第一エリア３０の左側に隣接している。
【００１７】
住宅構造１は、第一エリア３０と化粧室５との境界部分６の一部を構成する壁６０と、境界部分６の残りの部分を構成する開口部６１と、開口部６１を開閉する引き戸７と、を備える。
【００１８】
開口部６１は、境界部分６の前後方向の中央部を構成している。壁６０は、開口部６１よりも前側に位置する前壁部６２と、開口部６１よりも後側に位置する後壁部６３を含む。前壁部６２は、後方に向けて開口する戸袋６４を構成しており、戸袋６４には、引き戸７が出し入れ自在であり、戸袋６４内には、引き戸７の全体が収容可能である。
【００１９】
引き戸７は、前後方向にスライド移動自在に設けられた板状の戸である。例えば、引き戸７は、その上端部が壁６０に対してスライド自在に吊り支持されている。なお、引き戸７は、床に設けられたレール上をスライド移動するように設けられてもよい。引き戸７は、略全体が、木質の板体であり、一部にガラス製や樹脂製の透光部７０が設けられている。
【００２０】
化粧室５は、平面視略矩形状の部屋であり、四方を囲む周壁５０を備える。周壁５０は、壁６０と、壁６０の前壁部６２に直角に位置する第二の壁５１と、壁６０の後壁部６３に直角に位置する第三の壁５２と、壁６０に対向して位置する第四の壁５３とを含む。
【００２１】
化粧台４は、第二の壁５１に沿うように設置されている。本実施形態では、化粧台４は、前面が第二の壁５１に当たり、右面が前壁部６２に当たるように配置されている。化粧台４は、開口部６１よりも前方に位置している。
【００２２】
化粧台４は、化粧カウンター４０と、化粧カウンター４０の下方に位置する脚入れ凹所４１と、化粧カウンター４０の上方に位置する鏡４２とを備える。化粧室５には、椅子４３がさらに設置されている。椅子４３は、脚入れ凹所４１内に収納可能である。
【００２３】
化粧台４の利用者は、例えば、化粧カウンター４０の手前で椅子４３に座り、両脚を脚入れ凹所４１に入れ、鏡４２側を向いた姿勢で、化粧を行うことができる。化粧台４を利用するときの利用者の側方に開口部６１が位置するように、化粧室５内における化粧台４の設置位置が設定されている。
【００２４】
化粧室５にはさらに、洗面台８が設置されている。洗面台８は、第四の壁５３に沿うように設置されている。洗面台８と化粧台４とは、平面視略Ｌ字状に設置されている。洗面台８は、洗面カウンター８０と、洗面カウンター８０の一部（前後方向の中央部）に設けられた洗面ボウル８１と、洗面カウンター８０の上方に位置する鏡８２とを有する。
【００２５】
住宅構造１は、寝室３の第二エリア３１に対して左右方向に隣接する部屋９をさらに備える。部屋９と化粧室５とは、前後方向に隣接している。部屋９は、平面視略矩形状の部屋である。部屋９は、例えば、ウォークインクローゼットである。第二エリア３１と部屋９との境界部分９０は、壁９１と開口部９２とで構成されている。住宅構造１は、開口部９２を開閉する戸や扉を備えていない。
【００２６】
なお、部屋９は、ウォークインクローゼットに限らず、書斎等の他の用途の部屋であってもよく、開口部９２は、戸や扉で開閉されてもよい。
【００２７】
（効果）
以上説明した本実施形態の住宅構造１は、下記の構成を備えることを特徴とする。
【００２８】
住宅構造１は、ベッド２が設置された寝室３と、化粧台４が設置された化粧室５とを備える。寝室３は、ベッド２が設置された第一エリア３０と、第一エリア３０と並んだ第二エリア３１とを有する。化粧室５は、第一エリア３０に対して、第一エリア３０と第二エリア３１とが並ぶ方向に直交する方向に隣接する。
【００２９】
さらに、住宅構造１は、第一エリア３０と化粧室５との境界部分６の一部を構成する壁６０と、境界部分６の残りの部分を構成する開口部６１と、開口部６１を開閉する引き戸７と、を備える。
【００３０】
上記の構成を備えることで、本実施形態の住宅構造１では、化粧台４の利用者は、化粧室５と寝室３との境界部分６にある開口部６１の開口の程度を、引き戸７によって自由に変えることができる。これにより、化粧台４の利用者は、開口部６１を大きく開いて、化粧を行いながら、ベッドにいるパートナー（夫）を視野に入れながら会話でコミュニケーションを取ることができる。また、利用者は、開口部６１を閉じて、コミュニケーションを取らずに集中して化粧を行うことや、開口部６１を少し開いて、会話でのコミュニケーションは取りつつも集中して化粧を行うこともできる。したがって、本実施形態の住宅構造１では、化粧台４の利用者が、色々なパターンで化粧を行うことができる。また、本実施形態の住宅構造１では、寝室３が、ベッド２が設置される第一エリア３０と、第一エリア３０と並ぶ第二エリア３１を有するため、寝室３を広めの空間とすることができ、第一エリア３０に隣接する化粧室５は、コンパクトな空間とすることができる。
【００３１】
さらに、本実施形態の住宅構造１では、下記の構成を付加的に備える。
【００３２】
すなわち、住宅構造１では、化粧室５は、壁６０に対して直角に位置する第二の壁５１を備える。化粧台４は、第二の壁５１に沿うように配置されている。
【００３３】
上記の付加的な構成を備えることで、本実施形態の住宅構造１では、化粧台４の前に座った利用者の側方に、開口部６１が位置することとなり、利用者は、化粧を行いながら、ベッド２にいるパートナーを横目で見ることができる。
【００３４】
さらに、本実施形態の住宅構造１では、下記の構成を付加的に備える。
【００３５】
すなわち、住宅構造１では、化粧室５は、壁６０と第二の壁５１を含む周壁５０を備え、開口部６１を閉じたときの引き戸７と、周壁５０とで、周囲が仕切られる。
【００３６】
上記の付加的な構成のように、本実施形態の住宅構造１では、化粧室５が、開口部６１を閉じたときの引き戸７と周壁５０とで、周囲が仕切られるため、化粧室５を閉じられた私的な空間としやすい。
【００３７】
また、本実施形態の住宅構造１では、引き戸７が、化粧台４の側方の前壁部６２に出し入れ自在であるため、引き戸７の開き具合に応じて、ベッド２にいるパートナーからの、化粧台４の手前で椅子４３に座る利用者の見え具合も自在に調整することができる。
【００３８】
（変更例）
続いて、上述した実施形態の住宅構造１の変更例について説明する。
【００３９】
化粧台４は、第二の壁５１ではなく、第四の壁５３に沿うように設けられていてもよい。この場合、化粧台４の利用者は、化粧しながら、鏡４２越しにベッド２にいる利用者を視野に入れつつ会話でコミュニケーションを取ることができる。
【００４０】
また、化粧台４は、第三の壁５２に沿うように設けられてもよい。また、化粧台４は、開口部６１を全開にし、化粧台４の前の椅子４３に座った状態で、ベッド２にいる利用者を視野に入れることができる位置であれば、化粧室５内のその他の位置に設置されてもよい。
【００４１】
また、化粧室５は、開口部６１を閉じたときの引き戸７と周壁５０とで周囲が仕切られる構造に限らず、他の部屋に繋がる出入口が壁５１，５２，５３の少なくとも１つに設けられており、この出入口に、戸や扉が設けられていない構造であってもよい。
【００４２】
また、寝室３の第一エリア３０におけるベッド２の位置及び向きは、上記の位置及び向きに限定されず、例えば、頭側の端部（枕２０が置かれる側の端部）が脚側の端部に対して、右あるいは左に位置するように、第一エリア３０に設置されてもよい。
【００４３】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００４４】
１      住宅構造
２      ベッド
３      寝室
３０    第一エリア
３１    第二エリア
４      化粧台
５      化粧室
５０    周壁
５１    第二の壁
６      境界部分
６０    壁
６１    開口部
７      引き戸
【図１】
2017166148.tif 000003